【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
外部装置とデータを送受信する電子装置において、
前記電子装置で発生するエラーを検知するエラー検知部と、
前記電子装置で発生しうるエラーを回復するエラー回復コマンドを保持するエラー回復コマンド保持部と、
前記電子装置で発生したエラーを解析し、エラー解析結果に基づいて、前記エラー回復コマンド保持部から前記エラー回復コマンドを取得する解析部と
を備えることを特徴とする電子装置。
【請求項２】
前記電子装置で発生しうるエラーの、エラー情報及びエラー回復の手順を通知するためのエラー回復手順情報を保持するエラー情報保持部を有し、
前記エラー検知部がエラーを検知すると、前記エラー解析結果に基づいて、前記解析部は、前記エラー情報保持部から前記エラー情報及び前記エラー回復手順情報を取得することを特徴とする請求項１記載の電子装置。
【請求項３】
各種情報を使用者に表示する表示部を有し、
前記エラー回復コマンドの実行によるエラー回復を指示する回復指示ボタンを前記表示部で表示することを特徴とする請求項１記載の電子装置。
【請求項４】
前記エラー検知部がエラーを検知すると、前記エラー解析結果に基づいて、前記解析部は、前記エラー回復コマンド保持部から取得したエラー回復コマンドを含むエラーデータを作成することを特徴とする請求項１記載の電子装置。
【請求項５】
前記外部装置とデータの送受信を行う送受信部と、
前記送受信部を介して、前記エラーデータを前記外部装置に送信する制御部と
を有することを特徴とする請求項４記載の電子装置。
【請求項６】
前記電子装置から外部装置に送信される前記エラーデータは、テキスト形式又はＰＤＦ形式であることを特徴とする請求項５記載の電子装置。
【請求項７】
用紙に画像を印刷する印刷部を有することを特徴とする請求項１記載の電子装置。
【請求項８】
前記解析部は、前記エラー回復コマンドを解析し、前記解析部の解析した結果に応じて、回復処理を実行する制御部を有することを特徴とする請求項１記載の電子装置。
【請求項９】
上位装置からデータを受信して動作する電子装置を有する電子システムにおいて、
前記電子装置は、
前記電子装置で発生するエラーを検知するエラー検知部と、
前記電子装置で発生しうるエラーを回復するエラー回復コマンドを保持するエラー回復コマンド保持部と、
前記電子装置で発生したエラーを解析し、エラー解析結果に基づいて、前記エラー回復コマンド保持部から前記エラー回復コマンドを取得する解析部と
を備えることを特徴とする電子システム。
【請求項１０】
前記電子装置は、該電子装置で発生しうるエラーの、エラー情報及びエラー回復の手順を通知するためのエラー回復手順情報を保持するエラー情報保持部を有し、
前記エラー検知部がエラーを検知すると、前記解析部は、エラー解析を行い、前記エラー情報保持部から前記エラー情報及び前記エラー回復手順情報を取得することを特徴とする請求項９記載の電子システム。
【請求項１１】
前記電子装置は、各種情報を使用者に表示する第１の表示部を有し、
前記エラー回復コマンドの実行によるエラー回復を指示する回復指示ボタンを前記第１の表示部で表示することを特徴とする請求項９記載の電子システム。
【請求項１２】
前記電子装置は、前記エラー検知部がエラーを検知すると、前記エラー解析結果に基づいて、前記解析部が、前記エラー回復コマンド保持部から取得した前記エラー回復コマンドを含むエラーデータを作成することを特徴とする請求項９記載の電子システム。
【請求項１３】
前記上位装置は、
各種情報を使用者に表示する第２の表示部と、
前記電子装置から取得するエラーデータに基づく情報を前記第２の表示部で表示するエラー処理部と、
前記上位装置の動作を統括する制御部とを有し、
前記電子装置は、
前記上位装置とデータの送受信を行う送受信部と、
前記送受信部を介して、前記エラーデータを前記上位装置に送信する制御部とを有し、
前記上位装置は、前記エラーデータを受信し、前記エラー回復コマンドの実行によるエラー回復を指示する回復指示ボタンを前記第２の表示部で表示することを特徴とする請求項１２記載の電子システム。
【請求項１４】
前記電子装置から前記上位装置に送られる前記エラーデータは、テキスト形式又はＰＤＦ形式であることを特徴とする請求項１３記載の電子システム。
【請求項１５】
前記電子装置は、用紙に画像を印刷する印刷部を有することを特徴とする請求項９に記載の電子システム。
【請求項１６】
前記電子装置は、前記解析部が前記エラー回復コマンドを解析し、前記解析部の解析した結果に応じて、回復処理を実行する制御部を有する請求項９に記載の電子システム。
【手続補正２】
【補正対象書類名】明細書
【補正対象項目名】０００５
【補正方法】変更
【補正の内容】
【０００５】
本発明による電子装置は、外部装置とデータを送受信する電子装置であって、前記電子装置で発生するエラーを検知するエラー検知部と、前記電子装置で発生しうるエラーを回復するエラー回復コマンドを保持するエラー回復コマンド保持部と、前記電子装置で発生したエラーを解析し、エラー解析結果に基づいて、前記エラー回復コマンド保持部から前記エラー回復コマンドを取得する解析部とを備えることを特徴とする。
【手続補正３】
【補正対象書類名】明細書
【補正対象項目名】０００６
【補正方法】変更
【補正の内容】
【０００６】
また本発明による電子システムは、上位装置からデータを受信して動作する電子装置を有する電子システムであって、
前記電子装置は、前記電子装置で発生するエラーを検知するエラー検知部と、前記電子装置で発生しうるエラーを回復するエラー回復コマンドを保持するエラー回復コマンド保持部と、前記電子装置で発生したエラーを解析し、エラー解析結果に基づいて、前記エラー回復コマンド保持部から前記エラー回復コマンドを取得する解析部とを備えることを特徴とする。
【手続補正４】
【補正対象書類名】明細書
【補正対象項目名】００３９
【補正方法】変更
【補正の内容】
【００３９】
この電子システムが、前記した図１に示す実施の形態１の電子システムと主に異なる点は、ＰＣ２２０（実施の形態１ではＰＣ２０）にエラー処理部９０が備えられた点、ＰＣ２２０とプリンタ２１０（実施の形態１ではプリンタ１０）間の通信内容が異なっている点である。従って、図９に示す本実施の形態の電子システムが、前記した図１に示す実施の形態１の電子システムと共通する部分には同符号を付して、或いは図面を省いて説明を省略し、異なる点を重点的に説明する。
【手続補正５】
【補正対象書類名】明細書
【補正対象項目名】００４２
【補正方法】変更
【補正の内容】
【００４２】
一方、ＰＣ２２０は、機能別にみた場合に、その動作が制御部２１によって管理されるエラー処理部９０を備え、送受信部２５でプリンタ２１０から送られるエラーデータ７０を受信すると、このエラー処理部９０が、エラーデータ７０を処理し、エラーデータ７０から取得された情報を含むエラー画面８０（図６）をモニター画面等の表示部２４に表示し、その表示内容を確認した使用者がキーボード等のＰＣ２２０の入力部２３を操作して行う指示に従って、その時のエラーを回復するためのエラー回復コマンド６１（エラーデータ７０に含まれる）を、送受信部２５からプリンタ２１０に送信する。
【手続補正６】
【補正対象書類名】図面
【補正対象項目名】図９
【補正方法】変更
【補正の内容】
【図９】
2011011427.tif 000001